(57)【特許請求の範囲】
【請求項１】
内容物を貯蔵する容器本体と、
前記容器本体に分離可能に結合され、前記容器本体に貯蔵された内容物を所定量吸入し、かつ排出するスポイトパイプを具備するスポイト部と、を含む液体容器用の所定量吐出装置であって、さらに、
前記容器本体の上部に結合され、かつ前記スポイト部が結合される結合部と、前記結合部から前記容器本体の内部に延長して形成され、前記スポイトパイプを挿入、抜去することができるように中空が形成されたスポイトパイプ収容管とを具備する支持体と、
前記支持体の下部に結合され、かつ前記容器本体に貯蔵された内容物が流入することができるように、下端に内容物流入口が形成された内容物吸入部と、
前記内容物吸入部の内側に設けられ、前記内容物流入口を開閉するチェックバルブと、
前記容器本体内にあって、内容物の使用に伴って移動するピストンと、
を含み、
前記内容物吸入部は、その内周面に密着されたシーリング部材であって、前記チェックバルブの開口時に、前記内容物流入口を通って移動する内容物が前記スポイトパイプ内にのみ流入するようにガイドするシーリング部材を含み、
前記スポイトパイプ収容管は、前記シーリング部材の上端面に当接して前記シーリング部材が上部に移動することを防止し、かつ、
前記スポイト部と前記スポイトパイプとが、前記容器本体に貯蔵された内容物に浸漬されない状態で、内容物を吸入するように構成された
ことを特徴とする液体容器用の所定量吐出装置。
【請求項２】
前記スポイト部は、
前記スポイトパイプと、内キャップと、外キャップと、ボタン部と、を含み、
前記スポイトパイプは、前記スポイトパイプ収容管に収容され、前記内容物流入口を通って内容物吸入部に流入する内容物を吸入し、
前記内キャップは、前記結合部に螺合され、上端両側にボタン部を昇降させるガイド部が形成され、
前記外キャップは、前記内キャップを覆って結合され、ユーザーの操作によって内キャップと一緒に回転し、前記ボタン部の垂直移動をガイドするように内周面に長さ方向に垂直ガイド溝が形成され、
前記ボタン部は、前記外キャップの回転によって上昇し、ユーザーの加圧によって下降し、前記内キャップのガイド部に沿って昇降するガイド突起を具備する、
ことを特徴とする請求項１に記載の液体容器用の所定量吐出装置。
【請求項３】
内容物を貯蔵する容器本体と、
前記容器本体に分離可能に結合され、前記容器本体に貯蔵された内容物を所定量吸入し、かつ排出するスポイトパイプを具備するスポイト部と、を含む液体容器用の所定量吐出装置であって、さらに、
前記容器本体の上部に結合され、前記スポイト部が結合される結合部と、前記結合部から前記容器本体の内部に延長して形成され、かつ、前記スポイトパイプを挿入、抜去することができるように内側下端に内容物流入口が形成された内容物吸入管と、を具備する支持体と、
前記内容物吸入管の内側に設けられ、前記内容物流入口を開閉するチェックバルブと、
前記容器本体内にあって内容物の使用に伴って移動するピストンと、
を含み、
前記内容物吸入管は、
その内周面に密着されたシーリング部材であって、前記チェックバルブの開口時に、前記内容物流入口を通って移動する内容物が前記スポイトパイプ内にのみ流入するようにガイドするシーリング部材と、
前記内容物吸入管の内側に設けられ、前記シーリング部材の上端面に当接して前記シーリング部材が内容物吸入部から離脱することを防止する離脱防止部材と、をさらに含み、
前記スポイト部は、前記スポイトパイプが前記容器本体に貯蔵された内容物に浸漬されない状態で、内容物を吸入するように構成された
ことを特徴とする液体容器用の所定量吐出装置。
【請求項４】
また、前記スポイト部は、
スポイトパイプと、内キャップと、外キャップと、ボタン部と、を含み、
前記スポイトパイプは、前記内容物吸入管に収容され、前記内容物流入口を通じて前記内容物吸入管に流入する内容物を吸入し、
前記内キャップは、前記結合部に螺合し、上端両側にボタン部を昇降させるガイド部が形成され、
前記外キャップは、前記内キャップを覆って結合され、ユーザーの操作によって前記内キャップと一緒に回転し、前記ボタン部の垂直移動をガイドするように内周面に該外キャップの長さ方向に垂直ガイド溝が形成され、
前記ボタン部は、前記外キャップの回転によって上昇し、ユーザーの加圧によって下降し、前記内キャップのガイド部に沿って昇降するガイド突起を具備する
ことを特徴とする請求項３に記載の液体容器用の所定量吐出装置。
【請求項５】
前記内キャップの中央部には、前記スポイトパイプの上部と嵌合して前記スポイトパイプを前記内キャップに固定させるパイプ固定部が具備される
ことを特徴とする請求項２または４に記載の液体容器用の所定量吐出装置。
【請求項６】
また、前記ガイド部は、前記ガイド突起の上昇をガイドするように傾斜面を形成する上昇ガイド面と、前記上昇ガイド面と対向する傾斜面を形成して前記ガイド突起の下降をガイドする下降ガイド面と、前記上昇ガイド面と前記下降ガイド面との間に位置し、前記ガイド突起が、下降した状態で定置される定置面と、を含む
ことを特徴とする請求項２または４に記載の液体容器用の所定量吐出装置。
【請求項７】
また、前記上昇ガイド面の先端には、水平方向へ延長され、前記ガイド突起を支持し、ボタン部の下方移動を制限する制限部が形成される
ことを特徴とする請求項６に記載の液体容器用の所定量吐出装置。
【請求項８】
前記ボタン部は、その内側の上端中央部に、下方に突出して形成されるプランジャーチップ支持棒を具備し、前記プランジャーチップ支持棒には、前記スポイトパイプ内を上下に移動し、スポイトパイプ内の圧力変化によって内容物を吸入または排出するプランジャーチップが結合される
ことを特徴とする請求項２または４に記載の液体容器用の所定量吐出装置。
【請求項９】
前記チェックバルブは、前記スポイト部が前記結合部と結合した状態では、前記スポイトパイプで吸入された内容物が前記容器本体に移動することを防止し、前記スポイト部が前記結合部から分離した状態では、前記容器本体への空気の流入を防止する
ことを特徴とする請求項１または３に記載の液体容器用の所定量吐出装置。
【請求項１０】
前記シーリング部材の上端部には、前記スポイトパイプを挿入または抜去するための引き込み口が形成され、前記シーリング部材の下端部には、前記内容物流入口を通って流入した内容物が、前記スポイトパイプに移動するように内容物移動口が形成される
ことを特徴とする請求項１または３に記載の液体容器用の所定量吐出装置。
【発明の詳細な説明】
【技術分野】
【０００１】
本発明は、液体容器用の所定量吐出装置に関し、より詳細には、スポイトパイプが、容器本体に貯蔵された内容物に浸漬されない状態で内容物を吸入するように構成され、内容物によるスポイトパイプの汚染を防止できるだけでなく、容器本体内に内容物の使用に伴って上昇するピストンを具備することで、容器本体内に残留する内容物を削減することができる液体容器用の所定量吐出装置に関する。
【背景技術】
【０００２】
一般に、アイ・クリームのような化粧品等、一度に少量を、かつ、正確に所定量を使用することが好ましい、液状の内容物を使用する方法では、従来は、使用するたびに使用する量の内容物をカプセルなどに個別充填する方法が用いられていた。しかし、このような個別充填する方法は、ユーザーが内容物を使用し切った判断する後でも相当量がカプセルの内部に残っており、極めて無駄が多いという問題があった。
【０００３】
このような個別充填方式の問題を解決するために、内容物を容器に貯蔵した後、一般的なスポイトや注射器のような構造の抽出手段を使用する、または、プッシュポンプ（Ｐｕｓｈ  Ｐｕｍｐ）のような構造を持つ抽出手段を使用して、使用するたびに内容物を抽出して使用する構成が考案された。
【０００４】
しかし、一般的なスポイト構造の抽出手段の場合、ゴムで形成された押圧部をユーザーが押す程度によって吸入、抽出する量が変動するため、使用時に毎回正確に所定量を抽出することが容易でないという問題点があった。
【０００５】
上記の問題点を解決するために、所定量の内容物を抽出して使用することができるように構成された「液体容器用の所定量吐出装置」（大韓民国登録特許第１０−１１９２１７６号公報、以降「特許文献１」）が、本出願人によって提案された。
【０００６】
前記特許文献１の装置は、容器本体１００に内キャップ２００を結合する時にスプリング８００が収縮し、内キャップ２００を分離する時にスプリング８００が伸張し、スポイトパイプ７００の内部に内容物が流入するような構造を持ち、別段の操作をしなくても、簡単に内容物を所定量抽出して使用できることが特徴である。
【０００７】
しかし、前記特許文献１の装置は、スポイトパイプ７００全体が、容器本体１００の内部に挿入され、引き出される構造なので、容器本体１００に貯蔵された内容物によってスポイトパイプ７００の汚染が発生するだけでなく、内容物をほとんど使用してしまった場合、容器本体１００の壁面に残留する内容物を吸入しにくい構造なので、残留量が多くなるという問題があった。
【０００８】
また、内容物の使用後、スプリング８００によってボタン部４００が復元される構造を用いて、スポイトパイプ７００の内部に内容物を再吸入するためには、内キャップ２００を結合した時にボタン部４００を下方向へ移動させ、内キャップ２００が分離する時に、ボタン部４００を上方向へ移動させる必要があるなど、構造が非常に複雑になるという問題があった。
【先行技術文献】
【特許文献】
【０００９】
【特許文献１】大韓民国登録特許第１０−１１９２１７６号公報
【発明の概要】
【発明が解決しようとする課題】
【００１０】
本発明は、上述した問題点を解決するために創作されたもので、本発明の目的は、スポイトパイプが容器本体に貯蔵された内容物に浸漬されない状態で内容物を吸入するように構成され、内容物によるスポイトパイプの汚染を防止できるだけでなく、容器本体内に内容物の使用によって上昇するピストンを具備することで、容器本体内に残留する内容物を最小にすることができる液体容器用の所定量吐出装置を提供することである。
【００１１】
また、内容物吸入管の内側下部に、内容物流入口を開閉するチェックバルブを設置することで、スポイトパイプが内容物を吸入した状態で、内キャップを分離しないでボタン部を加圧する時に、内容物が容器本体に戻ることを防止できるだけでなく、スポイト部を分離する時に、容器本体への空気の流入を遮断することが可能な液体容器用の所定量吐出装置を提供することである。
【００１２】
また、結合部にスポイト部を結合する時に、内キャップに形成されたガイド部に沿ってボタンが上昇し、容器本体に貯蔵された内容物をスポイトパイプ内に吸入するような構造を持つことで、スプリングを具備しなくても、簡単な構造を通じて内容物を吸収することが可能な液体容器用の所定量吐出装置を提供することである。
【課題を解決するための手段】
【００１３】
前述の問題点を解決するために、本発明に係る液体容器用の所定量吐出装置は、
内容物を貯蔵する容器本体と、
前記容器本体に分離可能に結合されたスポイト部であって、前記容器本体に貯蔵された内容物を所定量吸入し、かつ排出するスポイトパイプを具備するスポイト部と、を含む液体容器用の所定量吐出装置であって、
前記容器本体の上部に結合され、かつ前記スポイト部が結合される結合部と、前記結合部から前記容器本体の内部に延長して形成され、前記スポイトパイプを挿入、抜去することができるように中空が形成されたスポイトパイプ収容管と、を具備する支持体と、
前記支持体の下部に結合され、かつ前記容器本体に貯蔵された内容物が流入することができるように、下端に内容物流入口が形成された内容物吸入部と、
前記内容物吸入部の内側に設けられ、前記内容物流入口を開閉するチェックバルブと、
前記容器本体内にあって、内容物の使用に伴って移動するピストンと、
を含み、
前記スポイト部と前記スポイトパイプとが、前記容器本体に貯蔵された内容物に浸漬されない状態で、内容物を吸入するように構成されたことを特徴とする。
【００１４】
また、前記内容物吸入部は、その内周面に密着された状態で設けられ、前記チェックバルブの開口時に、前記内容物流入口を通って移動する内容物が、前記スポイトパイプにだけ移動するようにガイドするシーリング部材をさらに含むことを特徴とする。
【００１５】
また、前記スポイト部は、
前記スポイトパイプと、内キャップと、外キャップと、ボタン部と、を含み、
前記スポイトパイプは、前記スポイトパイプ収容管に収容され、前記内容物流入口を通って内容物吸入部に流入する内容物を吸入し、
前記内キャップは、前記結合部に螺合され、上端両側にボタン部を昇降させるガイド部が形成され、
前記外キャップは、前記内キャップを覆って結合され、ユーザーの操作によって内キャップと一緒に回転し、前記ボタン部の垂直移動をガイドするように内周面に長さ方向に垂直ガイド溝が形成され、
前記ボタン部は、前記外キャップの回転によって上昇し、ユーザーの加圧によって下降し、前記内キャップのガイド部に沿って昇降するガイド突起を具備する、
ことを特徴とする。
【００１６】
また、内容物を貯蔵する容器本体と、
前記容器本体に分離可能に結合され、前記容器本体に貯蔵された内容物を所定量吸入し、かつ排出するスポイトパイプを具備するスポイト部と、を含む液体容器用の所定量吐出装置であって、
前記容器本体の上部に結合され、前記スポイト部が結合される結合部と、前記結合部から前記容器本体の内部に延長して形成され、かつ、前記スポイトパイプを挿入、抜去することができるように、内側下端に内容物流入口が形成された内容物吸入管と、を具備する支持体と、
前記内容物吸入管の内側に設けられ、前記内容物流入口を開閉するチェックバルブと、
前記容器本体内にあって、内容物の使用に伴って移動するピストンと、
を含み、
前記スポイト部は、前記スポイトパイプが前記容器本体に貯蔵された内容物に浸漬されない状態で、内容物を吸入するように構成されたことを特徴とする。
【００１７】
また、前記内容物吸入管は、その内周面に密着した状態で設けられ、前記チェックバルブの開口時に、前記内容物流入口を通って移動する内容物が、前記スポイトパイプにだけ移動するようにガイドするシーリング部材をさらに含むことを特徴とする。
【００１８】
また、前記スポイト部は、
スポイトパイプと、内キャップと、外キャップと、ボタン部と、を含み、
前記スポイトパイプは、前記内容物吸入管に収容され、前記内容物流入口を通じて前記内容物吸入管に流入する内容物を吸入し、
前記内キャップは、前記結合部に螺合し、上端両側にボタン部を昇降させるガイド部が形成され、
前記外キャップは、前記内キャップを覆って結合され、ユーザーの操作によって前記内キャップと一緒に回転し、前記ボタン部の垂直移動をガイドするように内周面に該外キャップの長さ方向に垂直ガイド溝が形成され、
前記ボタン部は、前記外キャップの回転によって上昇し、ユーザーの加圧によって下降し、前記内キャップのガイド部に沿って昇降するガイド突起を具備する、
ことを特徴とする。
【００１９】
また、前記内キャップの中央部には、前記スポイトパイプの上部と嵌合して前記スポイトパイプを前記内キャップに固定させるパイプ固定部が具備されることを特徴とする。
【００２０】
また、前記ガイド部は、前記ガイド突起の上昇をガイドするように傾斜面を形成する上昇ガイド面と、前記上昇ガイド面と対向する傾斜面を形成して前記ガイド突起の下降をガイドする下降ガイド面と、前記上昇ガイド面と前記下降ガイド面との間に位置し、前記ガイド突起が、下降した状態で定置される定置面と、を含むことを特徴とする。
【００２１】
また、前記上昇ガイド面の先端には、水平方向へ延長され、前記ガイド突起を支持し、ボタン部の下方移動を制限する制限部が形成されることを特徴とする。
【００２２】
また、前記ボタン部は、その内側の上端中央部に、下方に突出して形成されるプランジャーチップ支持棒を具備し、前記プランジャーチップ支持棒には、前記スポイトパイプ内を上下に移動し、スポイトパイプ内の圧力変化によって内容物を吸入または排出するプランジャーチップが結合されることを特徴とする。
【００２３】
また、前記チェックバルブは、前記スポイト部が前記結合部と結合した状態では、前記スポイトパイプで吸入された内容物が前記容器本体に移動することを防止し、前記スポイト部が前記結合部から分離した状態では、前記容器本体への空気の流入を防止することを特徴とする。
【００２４】
また、前記シーリング部材の上端部には、前記スポイトパイプを挿入または抜去するための引き込み口が形成され、前記シーリング部材の下端部には、前記内容物流入口を通って流入した内容物が、前記スポイトパイプに移動するように内容物移動口が形成されることを特徴とする。
【発明の効果】
【００２５】
以上述べたように、本発明によると、スポイトパイプが容器本体に貯蔵された内容物に浸漬されない状態で、内容物を吸入するように構成され、内容物によるスポイトパイプの汚染を防止できるだけでなく、容器本体内に内容物の使用によって上昇するピストンを具備したことで、容器本体内に残留する内容物を削減することができる長所がある。
【００２６】
また、内容物吸入管の内側下部に内容物流入口を開閉するチェックバルブを設置することで、スポイトパイプに内容物が吸入された状態で、内キャップを分離しないで、ボタン部を加圧時に、内容物が容器本体に移動することを防止することができるだけでなく、スポイト部を分離時に、容器本体への空気の流入を遮断することができる長所がある。
【００２７】
また、結合部にスポイト部を結合時に、内キャップに形成されたガイド部に沿ってボタンが上昇することによって、容器本体に貯蔵された内容物をスポイトパイプ内に吸入するように構造を設けることで、スプリングを具備しなくても、簡単な構造によって内容物を吸入することができる長所がある。
【図面の簡単な説明】
【００２８】
【図１】本発明の好ましい一実施例に係る、液体容器用の所定量吐出装置の構成を示す分解斜視図である。
【図２】本発明の好ましい一実施例に係る、液体容器用の所定量吐出装置の構成を示す分解断面図である。
【図３】本発明の好ましい一実施例に−係る、液体容器用の所定量吐出装置の構成を示す組立て斜視図である。
【図４】本発明の好ましい一実施例に係る、液体容器用の所定量吐出装置の構成を示す組立て断面図である。
【図５】本発明の好ましい一実施例に係る、液体容器用の所定量吐出装置の内キャップ、ボタン部、および外キャップの結合状態を示す説明図である。
【図６】図６（ａ）、（ｂ）、（ｃ）は、本発明の好ましい一実施例に係る、液体容器用の所定量吐出装置のスポイト部の内容物吸入過程を示す説明図である。
【図７】図７（ａ）、（ｂ）、（ｃ）は、本発明の好ましい一実施例に係る、液体容器用の所定量吐出装置のスポイト部の内容物吸入過程を示す説明図である。
【図８】図８（ａ）、（ｂ）は、本発明の好ましい一実施例に係る、液体容器用の所定量吐出装置のスポイト部を通る内容物の排出過程を示す説明図である。
【図９】図９（ａ）、（ｂ）、（ｃ）は、本発明の好ましい一実施例に係る、液体容器用の所定量吐出装置のスポイト部を通る内容物の排出過程を示す説明図である。
【図１０】本発明の他の実施例に係る、液体容器用の所定量吐出装置の構成を示す組立て断面図である。
【発明を実施するための形態】
【００２９】
以下、図面を参照して本発明を詳細に説明する。各図面に示された同一の参照符号は、同一の部材を示す。
【００３０】
図１は、本発明の好ましい一実施例に係る、液体容器用の所定量吐出装置の構成を示す分解斜視図であり、図２は、本発明の好ましい実施例に係る液体容器用所定量吐出装置の構成を示す分解断面図である。
【００３１】
図３は、本発明の好ましい一実施例に係る液体容器用の所定量吐出装置の構成を示す組立て斜視図であり、図４は、本発明の好ましい実施例に係る液体容器用の所定量吐出装置の構成を示す組立て断面図であり、図５は、本発明の好ましい実施例に係る液体容器用の所定量吐出装置の内キャップ、ボタン部および外キャップの結合状態を示す説明図である。
【００３２】
図１〜５を参照すると、本発明の好ましい一実施例に係る液体容器用の所定量吐出装置は、容器本体１００、スポイト部２００、支持体３００、内容物吸入部４００を含む。
【００３３】
前記容器本体１００は、内容物を貯蔵し、内部には、内容物の使用によって上昇するピストン１１０を具備する。本発明は、前記容器本体１００の内部にピストン１１０を具備することで、内容物をスポイト部２００に抽出して使用する時、容器本体１００の内壁に残留する内容物を削減することができることが特徴である。
【００３４】
前記スポイト部２００は、前記容器本体１００に分離可能に結合され、前記容器本体１００に貯蔵された内容物を所定量吸入し、かつ排出する。前記スポイト部２００は、スポイトパイプ２１０、内キャップ２２０、外キャップ２３０、ボタン部２４０を含む。
【００３５】
前記スポイトパイプ２１０は、下端部が開口して形成され、後述する内容物吸入部４００に流入する内容物を吸入するもので、結合部３１０にスポイト部２００を結合する時には、スポイトパイプ収容管３２０に挿入され、内容物流入口４１０を通って内容物吸入部４００に流入する内容物を吸入して貯蔵し、結合部３１０からスポイト部２００を分離する時には、スポイトパイプ収容管３２０から引き出され、貯蔵された内容物をボタン部２４０の加圧によって外部に排出するように構成される。
【００３６】
本発明において、前記スポイトパイプ２１０の下部は、スポイトパイプ収容管３２０に挿入される時に、内容物吸入部４００の内側下端に位置するシーリング部材４３０の引き込み口４３１に締結されるように構成され、締結過程でスポイトパイプ２１０の外周面がシーリング部材４３０に密着することで、内容物流入口４１０を通じて流入した内容物がスポイトパイプ２１０の開口した下端部にだけ流入することが可能となる。
【００３７】
前記スポイトパイプ２１０は、スポイトパイプ収容管３２０および内容物吸入部４００によって、容器本体１００に貯蔵された内容物に浸漬されない状態で内容物を吸入することが可能となり、これによって、従来のように、スポイトパイプが内容物に浸漬された状態で内容物を吸入することによって、スポイトパイプの外周面に内容物が付着し、スポイトパイプ２１０が汚染されることを防止することができる。
【００３８】
前記内キャップ２２０は、支持体３００の結合部３１０に螺合されるもので、本発明において、前記内キャップ２２０の上端両側には、ボタン部２４０を昇降させるガイド部２２１が形成されることが特徴である。
【００３９】
前記ガイド部２２１は、後述するガイド突起２４１の上昇をガイドするように傾斜面を形成する上昇ガイド面２２１ａと、前記上昇ガイド面２２１ａと対向するように傾斜面を形成し、前記ガイド突起２４１の下降をガイドする下降ガイド面２２１ｂと、前記上昇ガイド面２２１ａと下降ガイド面２２１ｂとの間に位置し、前記ガイド突起２４１が下降した状態で定置される定置面２２１ｃと、で構成される。
【００４０】
前記ガイド部２２１は、回転体２２０が第１の方向へ回転する時に、ガイド突起２４１が上昇ガイド面２２１ａに沿って上方へ移動するようにガイドしてボタン部２４０を上昇させ、前記上昇ガイド面２２１ａの先端には、水平方向へ延長され、ガイド突起２４１を支持してボタン部２４０が上昇した状態で下方への移動を制限する制限部２２２が形成される。
【００４１】
また、前記ガイド部２２１は、ガイド突起２４１が下降ガイド面２２１ｂの上部に位置した状態で、ユーザーがボタン部２５０を加圧した時に、ガイド突起２４１が下降ガイド面２２１ｂに沿って下方向へ移動するようにガイドし、ボタン部２５０を下降させる。
【００４２】
一方、前記内キャップ２２０の下部には、外周面を取り囲み、外キャップ２３０の結合溝２３１に係合する結合突起２２４が具備される。
【００４３】
一方、前記内キャップ２２０の中央部には、スポイトパイプ２１０を内キャップ２２０に固定させるパイプ固定部２２３が具備され、前記パイプ固定部２２３は、スポイトパイプ２１０の上部を覆って結合され、スポイト部２００が支持体３００の結合部３１０から分離された状態でスポイトパイプ２１０が内キャップ２２０から分離することを防止することができる。前記パイプ固定部２２３の中央部には、プランジャーチップ支持棒２４２が貫通することが可能なように貫通口２２５が形成される。
【００４４】
前記外キャップ２３０は、前記内キャップ２２０を覆って結合され、ユーザーの操作によって内キャップ２２０と一緒に回転してボタン部２４０の垂直移動をガイドするように、外キャップ２３０の内周面には、外キャップ２３０の長さ方向へ垂直ガイド溝２３２が形成される。
【００４５】
前記垂直ガイド溝２３２は、ボタン部２４０のガイド突起２４１と係合し、外キャップ２３０の回転時に、ボタン部２４０のガイド突起２４１が垂直移動するようにガイドする。
【００４６】
一方、前記外キャップ２４０の下部には、前記結合突起２２４と係合する結合溝２３１が形成される。
【００４７】
前記ボタン部２４０は、前記外キャップ２３０の回転によって上昇ガイド面２２１ａに沿って上昇し、ユーザーの加圧によって下降ガイド面２２１ｂに沿って下降するように、前記内キャップ２２０のガイド部２２１に沿って移動するガイド突起２４１を前記ボタン部２４０の側面に具備する。
【００４８】
前記ボタン部２４０はプランジャーチップ支持棒２４２を具備し、該プランジャーチップ支持棒２４２は、ユーザーの加圧によってスポイトパイプ２１０内部に吸入された内容物を外部へ排出させるために、前記ボタン部２４０の内側上端中央部に下方向へ突出して形成され、下部にプランジャーチップ２４３が結合されている。
【００４９】
前記プランジャーチップ支持棒２４２の下部には、プランジャーチップ２４３が結合され、ユーザーがボタン部２４０の上端を加圧した時に、プランジャーチップ２４３がプランジャーチップ支持棒２４２によってスポイトパイプ２１０内を下方へ移動し、スポイトパイプ２１０内の圧力を変化させ、スポイトパイプ２１０内に吸入された内容物を排出させる。
【００５０】
一方、外キャップ２３０の回転によってボタン部２４０が上昇する時には、前記プランジャーチップ支持棒２４２およびプランジャーチップ２４３が上方向へ移動し、これに伴ってスポイトパイプ２１０内の圧力が変化し、容器本体１００に貯蔵された内容物をスポイトパイプ２１０の内部に吸入する。
【００５１】
前記支持体３００は、前記容器本体１００の上部に結合され、その上部に前記スポイト部２００が結合するように、内キャップ２２０と螺合する結合部３１０が形成され、前記結合部３１０の下部には、前記結合部３１０から前記容器本体１００の内部に延長して形成され、前記スポイトパイプ２１０を挿入、引き出すことが可能なように中空３２１が形成されたスポイトパイプ収容管３２０を具備する。
【００５２】
前記スポイトパイプ収容管３２０は、後述する内容物吸入部４００に設けられるシーリング部材４３０の上端を加圧し、シーリング部材４３０が上部に移動することを防止することで、内容物吸入部４００からシーリング部材が分離することを防止する。
【００５３】
前記内容物吸入部４００は、前記支持体３００の下部に結合され、容器本体１００に貯蔵された内容物を吸入するもので、スポイト部２００を用いて、容器本体１００に貯蔵された内容物を吸入する時に、内容物が流入するよう、その下端に内容物流入口４１０が形成される。
【００５４】
本発明において、前記内容物吸入部４００の内側下部には、プランジャーチップ２４３の移動に伴う前記スポイトパイプ２１０内部の圧力変化によって前記内容物流入口４１０を開閉するチェックバルブ４２０が設けられたことが特徴であり、前記チェックバルブ４２０は、ボタン部２４０が下降した状態で、内容物流入口４１０を閉口し、ボタン部２４０が上昇した状態で、前記内容物流入口４１０を開口し、スポイトパイプ２１０の内部に内容物を吸入することを可能にする。
【００５５】
前記のチェックバルブ４２０は、前記スポイト部２００が前記結合部３１０に結合された状態で、ユーザーの不注意によってボタン部２４０が加圧される場合、前記スポイトパイプ２１０に吸入された内容物が前記容器本体１００に移動することを防止し、前記結合部３１０から前記スポイト部２００を分離する時には、前記容器本体１００に空気が流入することを防止し、内容物の変質を防止する。
【００５６】
一方、本発明において、前記内容物吸入部４００の内側下端に、前記内容物流入口４１０を通じて流入される内容物がスポイトパイプ２１０にだけ移動するようにガイドするシーリング部材４３０が設けられたことが特徴であり、前記シーリング部材３２２は、内容物吸入管２３０の内周面に密着した状態で設けられ、スポイト部２００が結合部３１０に結合する時に、スポイトパイプ２１０の下部を覆って締結するように構成されることで、スポイトパイプ２１０を除いた他の場所に内容物が移動することを防止する。
【００５７】
前記シーリング部材４３０は、スポイト部２００が結合部３１０に結合する時、スポイトパイプ２１０の挿入、引き出しが可能なように、上端部に引き込み口４３１が形成され、下端部には、前記内容物流入口４１０を通じて流入された内容物が前記スポイトパイプ２１０に移動するように内容物移動口４３２が形成される。
【００５８】
以下では、図６〜９を参照して、本発明の液体容器用の所定量吐出装置の使用方法を説明する。図６（ａ）、（ｂ）、（ｃ）および図７（ａ）、（ｂ）、（ｃ）は、本発明の好ましい一実施例に係る、液体容器用の所定量吐出装置のスポイト部の内容物吸入過程を示す説明図であり、図８（ａ）、（ｂ）および図９（ａ）、（ｂ）、（ｃ）は、本発明の好ましい一実施例に係る、液体容器用の所定量吐出装置のスポイト部の内容物排出過程を示す説明図である。
【００５９】
図６〜９を参照して、本発明の好ましい一実施例に係る、液体容器用の所定量吐出装置の使用方法を説明する。ボタン部２４０のガイド突起２４１が定置面２２１ｃに定置された状態で、ユーザーが外キャップ２３０を第１の方向へ回転させると、外キャップ２３０を把持したときの加圧力によって内キャップ２２０が一緒に加圧されて回転し、これにより、内キャップ２２０が支持体３００の結合部３１０と螺合する。
【００６０】
内キャップ２２０と結合部３１０との螺合が完了すると、内キャップ２２０はこれ以上回転しないで、外キャップ２３０が独立して回転するようになり、このとき、内キャップ２２０に形成された上昇ガイド面２２１ａに沿って、ボタン部２４０のガイド突起２４１が上昇し、これにより、ボタン部２４０の上昇が行われる。
【００６１】
ボタン部２４０が上昇すると、次に、ボタン部２４０のプランジャーチップ支持棒２４２の下部に結合されたプランジャーチップ２４３が上昇し、これによってスポイトパイプ２１０の内部圧力が発生し、チェックバルブ４２０が内容物流入口４１０を開口し、内容物流入口４１０を通じて内容物吸入部４００に内容物が流入し、内容物流入口４１０を通じて流入する内容物が、内容物吸入部４００に備えられたシーリング部材４３０によってスポイトパイプ２１０の内部にだけ吸入される。このとき、ボタン部２４０のガイド突起２４１は、制限部２２２に定置され、前記ボタン部２４０が下方へ加圧されないように構成されている。
【００６２】
前記のようにしてスポイトパイプ２１０の内部に内容物が吸入された状態で、スポイト部２００を結合部３１０から分離して、内容物を使用するためには、外キャップ２３０を前記第１の方向とは反対方向へ回転すれば良い。外キャップ２３０を前記第１の方向とは反対方向へ回転すると、最初は外キャップ２３０だけが独立して回転し、ガイド突起２４０が下降ガイド面２２１ｂの上死点に位置するガイド部２２１の内壁に当接し、ガイド突起２４０がガイド部２２１を加圧することで、外キャップ２３０の回転と一緒に、内キャップ２２０を回転させる。これにより、内キャップ２２０と結合部３１０の螺合が解かれ、スポイト部２００が結合部３１０から分離する。
【００６３】
前記のように、スポイト部２００を結合部３１０から分離する過程では、ガイド突起２４１が制限部２２２から外れた状態になるが、このとき、ユーザーの不注意によりボタン部２４０を加圧しても、内容物吸入部４００に設けられたチェックバルブ４２０によってスポイトパイプ２１０に吸入された内容物の容器本体１００への移動を防止することができる。
【００６４】
一方、スポイト部２００が結合部３１０から分離された状態でボタン部２４０を加圧すると、ボタン部２４０の加圧突起が内キャップ２２０の下降ガイド面２２１ｂを加圧するようになり、これにより、内キャップ２２０の回転が行われ、下降ガイド面２２１ｂに沿ってガイド突起２４１が下降し、ボタン部２４０が下降する。
【００６５】
ボタン部２４０の下降が行われると、その下部に結合されたプランジャーチップ２４３が一緒に下降し、内容物吸入管３２０に吸入された内容物の排出が行われる。
【００６６】
前記のような過程を通じ内容物の排出が行われたとき、ガイド突起２４１が定置面２２１ｃに定置した状態になり、この状態で外キャップ２３０を前記第１の方向へ回転すると、内キャップ２２０が結合部３１０に螺合し、次にガイド突起２４１が上昇ガイド面２２１ａに沿って上部へ移動して、ボタン部２４０を上昇させ、自動的にスポイトパイプ２１０の内部に内容物が吸入される。
【００６７】
すなわち、外キャップ２３０を回転して、内キャップ２２０を結合部３１０に螺合させる簡単な操作によって、内容物を、次の使用のためにスポイトパイプ２１０の内部に吸入することができるようになる。
【００６８】
以下では、図１０を参照し、本発明の他の実施例に係る、液体容器用の所定量吐出装置について説明する。
【００６９】
図１０を参照すると、本発明の他の実施例に係る、液体容器用の所定量吐出装置の支持体３００は、スポイトパイプ２１０を挿入、抜去することが可能なように前記容器本体１００の内部に延長して形成され、スポイト部２００を用いて容器本体１００に収容された内容物を吸入する時に、内容物が流入するように、下端に内容物流入口３３１が形成された内容物吸入管３３０を具備することが特徴である。
【００７０】
前記内容物吸入管３３０の内側下部には、プランジャーチップ２４３の移動による前記スポイトパイプ２１０内部の圧力変化によって、前記内容物流入口３３１を開閉するチェックバルブ３３２が設けられている。前記チェックバルブ３３２の構造および機能は、本発明の好ましい一実施例で前述したチェックバルブ４２０と同一なので、詳細な説明は省略する。
【００７１】
一方、前記内容物吸入管３３０の内側下端には、前記内容物流入口３３１から流入する内容物が、スポイトパイプ２１０にだけ移動するようにガイドするシーリング部材３３３が設けられる。前記内容物吸入管３３０の内側には、前記シーリング部材３３３の上部でシーリング部材３３３の上端を加圧し、前記シーリング部材３３３が内容物吸入管３３０から離脱することを防止する離脱防止部材３３４が具備されることが好ましい。
【００７２】
また、前記内容物吸入管３３０の内側には、前記離脱防止部材３３４の上端を支持し、離脱防止部材３３４が上方へ移動することを遮断する係止部３３５が形成される。
【００７３】
前記シーリング部材３３２の構造および機能は、本発明の好ましい実施例で前述したシーリング部材４３０と同一であるので、詳細な説明は省略する。
【００７４】
一方、本発明の他の実施例に係る液体容器用の所定量吐出装置のその他の部分の構成および動作も、本発明の好ましい実施例で前述したものと同一であるので、詳細な説明は省略する。
【００７５】
図面と明細書で最適の実施例を開示した。ここで特定の用語を使用したが、これは単に本発明を説明する目的で使用したものであって、意味の限定や、特許請求の範囲に記載された本発明の範囲を制限するために使用したものではない。そのため、本技術分野の通常の知識を有する者であれば、前記実施例から、様々な変形及び均等な他の実施例が実現可能であるという点が理解できるであろう。したがって、本発明の真の技術的保護範囲は、添付された特許請求の範囲の技術的思想によって定められるべきである。
【図１】
0006603673.tif 000002
【図２】
0006603673.tif 000003
【図３】
0006603673.tif 000004
【図４】
0006603673.tif 000005
【図５】
0006603673.tif 000006
【図６】
0006603673.tif 000007
【図７】
0006603673.tif 000008
【図８】
0006603673.tif 000009
【図９】
0006603673.tif 000010
【図１０】
0006603673.tif 000011